(57)【要約】【課題】バルコニーに設けられる手摺面材の建物ユニットへの取付性が良いバルコニーの手摺面材取付構造およびユニット建物を提供すること。【解決手段】貫通孔（Ｈ）を有し且つ面材支持用の柱材（支柱３）上にそれぞれ配設された短柱（２２，２２ａ，２２ｂ）と、貫通孔（Ｈ）に上端から挿入される工具軸６１で短柱（２２，２２ａ，２２ｂ）を面材支持用の柱材（支柱３）上に固定する固定部材（固定ボルト２８、ナット２９）と、短柱（２２，２２ａ，２２ｂ）に設けられる面材取付梁（妻側面材取付梁２３、桁側面材取付梁２４）と、面材取付梁（妻側面材取付梁２３、桁側面材取付梁２４）に設けられたアンカー材（２６，２７）を備えている。【選択図】  図７
2015059404.tif 000002
【特許請求の範囲】
【請求項１】
複数の柱材と複数の梁材で構成された骨組構造体によって建物ユニットが形成されている共に、前記建物ユニットの上面にバルコニー床部材が設けられ、前記バルコニー床部材の少なくとも一側縁部にバルコニー手摺面材が設置されたバルコニーの手摺面材取付構造であって、
前記建物ユニットの複数の柱材の少なくとも２つは前記バルコニー床部材の一側縁部に間隔を置いて面材支持用に配設されていると共に、
上下方向に貫通する貫通孔が形成され且つ少なくとも前記２つの面材支持用の柱材上にそれぞれ配設された少なくとも２つの短柱と、
前記貫通孔に上端から挿入される連結工具を用いて前記２つの短柱を前記２つの面材支持用の柱材上に固定する固定部材と、
少なくとも前記２つの短柱間に架け渡される面材取付梁と、
前記面材取付梁に設けられたアンカー材を備え、
前記手摺面材と一体の手摺支柱の下端部が前記アンカー材に固定手段で固定されていることを特徴とするバルコニーの手摺面材取付構造。
【請求項２】
前記アンカー材は前記面材取付梁に上方に向けて固定され、
前記手摺支柱は中空に形成されていると共に、
前記手摺支柱内には前記アンカー材が嵌合されていることを特徴とする請求項１に記載のバルコニーの手摺面材取付構造。
【請求項３】
前記面材取付梁の上部を覆うカバーが設けられ、前記カバーに挿通孔が形成されていると共に、
前記アンカー材が前記挿通孔に挿通されていることを特徴とする請求項２に記載のバルコニーの手摺面材取付構造。
【請求項４】
前記面材取付梁を覆う防水シートに前記アンカー材の外周面を覆い且つ前記手摺支柱内に配設された筒状防水部が設けられていることを特徴とする請求項３に記載のバルコニーの手摺面材取付構造。
【請求項５】
前記カバーの挿通孔に前記手摺支柱の下端部が挿通されていることを特徴とする請求項３又は４に記載のバルコニーの手摺面材取付構造。
【請求項６】
前記カバーの前記挿通孔側の部分と前記手摺支柱の下端部との間にスペーサが介装されていることを特徴とする請求項５に記載のバルコニーの手摺面材取付構造。
【請求項７】
前記スペーサは、前記手摺支柱の下端部を前記カバーに係止させる環状スペーサであることを特徴とする請求項５に記載のバルコニーの手摺面材取付構造。
【請求項８】
前記環状スペーサは、前記カバーの挿通孔に嵌合される嵌合筒部と、前記嵌合筒部の上端部に外方に向けて連設されて前記カバーの上面に係止される上係止部と、前記嵌合筒部の下端部に内方に向けて連設されて前記手摺支柱の下端を係止する下係止部から、断面形状がＺ型形状に形成されていることを特徴とする請求項７に記載のバルコニーの手摺面材取付構造。
【請求項９】
請求項１〜８に記載のバルコニーの手摺面材取付構造を備えることを特徴とするユニット建物。
【発明の詳細な説明】
【技術分野】
【０００１】
本発明は、建物ユニットの上に形成するバルコニーの手摺面材取付構造およびユニット建物に関するものである。
【背景技術】
【０００２】
一般に、ユニット建物は、複数の建物ユニットを縦方向及び水平方向に並設することにより構築される。この建物ユニットは、四隅に設けられる支柱，この支柱の上端部間を連結する上梁，及び支柱の下端部間を連結する下梁等から直方体状の骨組構造体に形成されているのが普通である。一方、建物に設けられるバルコニーでは、バルコニー床部材の周縁部に手摺壁を配置しているのが普通である。
【０００３】
また、ユニット建物に設けられる手摺壁としては、特許文献１におけるように、一対の手摺柱の下端部同士および上端部同士を下手摺梁および上手摺梁で連結した手摺フレームを形成し、この手摺フレームに手摺面材を取り付けたものが知られている。この特許文献１では、手摺柱が中空に形成されていると共に手摺柱の下端が下壁で閉成されていて、この手摺柱の下壁が建物ユニットのコーナの柱材上端部に固定ボルトとナットで取り付けられている。
【０００４】
尚、この手摺柱の下端部の側面には点検穴が設けられ、手摺柱の下壁にはボルト挿通孔が形成され、建物ユニットの上端にはボルト挿通孔に挿通する固定ボルトが突設されている。また、手摺柱を建物ユニットの柱材に取り付けるには、ナットに係合させるソケット部を工具軸の先端部に設けた連結工具が用いられる。
【０００５】
この手摺柱を建物ユニットの柱材に固定するには、手摺柱の下壁を建物ユニットの柱材の上端に突き当てる際に、この柱材の固定ボルトをボルト挿通孔に挿通させて手摺柱の下壁の上に突出させ、この固定ボルトの上端部にナットを点検穴から螺着する。そして、連結工具の工具軸を手摺柱に上端から挿入して、工具軸のソケットをナットに係合させ、このナットを連結工具で締め付けることにより、手摺柱を建物ユニットの柱材上に取り付けている。
【０００６】
また、バルコニーには、複数の手摺ユニットをバルコニー床の縁部に沿って並設することにより、手摺を形成するようにしているものがある。この手摺ユニットとしては、一対の角筒状の支柱と、この一対の支柱の上端部間および下端部間にそれぞれ架設された上枠部材及び下枠部材と、一対の支柱間に配設され且つ上枠部材と下枠部材に一体に固定した手摺壁を備える構成が知られている（特許文献２参照）。
【０００７】
そして、特許文献２では、バルコニー床の縁部に上方に向けて控え柱に支柱が固定されていて、この控え柱を手摺ユニットの支柱内に嵌合するようにしている。この控え柱は、手摺ユニットの支柱と同じ高さに形成されていて、上端部が手摺ユニットの支柱の上端部内に配置されている。しかも、この控え柱の上端に設けた端壁にボルト孔を設け、支柱の上端に押さえプレートを当接させると共に、押さえプレートを貫通するボルトを控え柱の上端のボルト孔に螺着することにより、手摺ユニットの支柱が控え柱に固定されるようになっている。
【先行技術文献】
【特許文献】
【０００８】
【特許文献１】特開２０１０−０１３９１８号公報
【特許文献２】特開平１１−３０３１９３号公報
【発明の概要】
【発明が解決しようとする課題】
【０００９】
しかしながら、特許文献１の手摺柱は手摺壁と同じ高さを有しているため、連結工具の工具軸が長くなり、連結工具のソケット部のナットへの係合作業に時間が係るものであった。このため、バルコニーに設けられる手摺面材の取付性が悪いものであった。
【００１０】
また、特許文献２の手摺では、控え柱をバルコニー床の縁部に設けた控え柱の高さが手摺ユニットの支柱と同じ高さであるため、手摺ユニットを高い位置まで持ち上げて控え柱と支柱とを嵌合する必要があり、控え柱と支柱の組付性が悪く、その結果として手摺壁（手摺面材）の取付性が悪いものであった。
【００１１】
そこで、この発明は、バルコニーに設けられる手摺面材の建物ユニットへの取付性が良いバルコニーの手摺面材取付構造およびユニット建物を提供することを目的とするものである。
【課題を解決するための手段】
【００１２】
この目的を達成するために、この発明は、複数の柱材と複数の梁材で構成された骨組構造体によって建物ユニットが形成されている共に、前記建物ユニットの上面にバルコニー床部材が設けられ、前記バルコニー床部材の少なくとも一側縁部にバルコニー手摺面材が設置されたバルコニーの手摺面材取付構造であって、前記建物ユニットの複数の柱材の少なくとも２つは前記バルコニー床部材の一側縁部に間隔を置いて面材支持用に配設されていると共に、上下方向に貫通する貫通孔が形成され且つ少なくとも前記２つの面材支持用の柱材上にそれぞれ配設された少なくとも２つの短柱と、前記貫通孔に上端から挿入される連結工具を用いて前記２つの短柱を前記２つの面材支持用の柱材上に固定する固定部材と、少なくとも前記２つの短柱間に架け渡される面材取付梁と、前記面材取付梁に設けられたアンカー材を備え、前記手摺面材と一体の手摺支柱の下端部が前記アンカー材に固定手段で固定されていることを特徴とする。
【発明の効果】
【００１３】
この構成によれば、建物ユニットの柱材の上端に取り付ける短柱の貫通孔は短いので、この貫通孔に挿入する連結工具の工具軸も短くなり、工具軸の先端部を短柱内に配設する固定部材に迅速に係合させることができる。これによりバルコニーに設けられる手摺面材の建物ユニットへの取付性が向上する。
【００１４】
また、建物ユニットの面材支持用の柱材の上端部に面材取付梁の短柱を固定部材で固定し、この面材取付梁にアンカー部材を設け、このアンカー部材に手摺支柱の下端部を固定手段で固定するようにしているので、手摺支柱の面材取付梁への取り付けが容易である。
【図面の簡単な説明】
【００１５】
【図１】（ａ）はこの発明に係るバルコニーの手摺面材取付構造を有するユニット建物の概略斜視図、（ｂ）（ａ）のユニット建物を出隅部Ｃ１側から見た部分拡大斜視図である。
【図２】図１のバルコニーが設けられた建物ユニットの枠組構造体の概略斜視図である。
【図３】図1のＡ1-Ａ1線に沿う断面図である。
【図４】図３の要部拡大図である。
【図５】図３に示した建物ユニットの上桁梁と手摺取付部材の取付部を矢印Ａ２方向から見た拡大側面図である。
【図６】図５のＡ３−Ａ３線に沿う断面図である。
【図７】図３に示した手摺取付部材とバルコニーの手摺壁の分解斜視図である。
【図８】図７に示した短柱と建物ユニットの支柱（柱材）との関係を示す断面図である。
【図９】図４のＡ４の手摺支柱の取付部および図1のＢ1-Ｂ1線における断面の手摺支柱の取付部の部分拡大図である。
【図１０】図９のＡ５−Ａ５線に沿う断面図である。
【図１１】図９のＡ６−Ａ６線に沿う断面図である。
【図１２】図３の手摺面材及び手摺支柱と建物ユニット側に固定した下壁部の分解斜視図である。
【図１３】図１２の手摺面材と手摺面材の手摺支柱の下端部に設けられる環状スペーサの分解斜視図である。
【図１４】図１２の手摺支柱を面材取付フレームのカバーに設けた挿通孔に環状スペーサを介して配設した部分斜視図である。
【図１５】図７の手摺支柱と環状スペーサ及び手摺面材の位置関係を示す平面図である。
【発明を実施するための形態】
【００１６】
以下、この発明に係る建物用付帯構造物を図面に基づいて説明する。
[実施例１]
図１（ａ）はこの発明に係るバルコニーの手摺面材取付構造を有するユニット建物の概略斜視図、図１（ｂ）は図１（ａ）のユニット建物を出隅部Ｃ１側から見た部分拡大斜視図、図２は図１の建物ユニットを構成する枠組構造体の概略斜視図である。また、図３は図1のＡ1-Ａ1線に沿う断面図、図４は図３の要部拡大図で、図５は図３に示した建物ユニットの上桁梁と手摺取付部材の取付部を矢印Ａ２方向から見た拡大側面図である。更に、図６は図５のＡ３−Ａ３線に沿う断面図、図７は図３に示した手摺取付部材とバルコニーの手摺壁の分解斜視図である。
【００１７】
図１（ａ）に示したユニット建物１は、複数の建物ユニット１Ａ〜１Ｇを水平方向および縦方向（上下方向）に並設することにより構築したものである。この複数の建物ユニット１Ａ〜１Ｇのうち１Ａ〜１Ｄは１階の建物ユニットであり、１Ｅ〜１Ｇは２階の建物ユニットである。この建物ユニット１Ａ〜１Ｄは１階において水平方向に並設固定されている。また、２階の建物ユニット１Ｅ〜１Ｇは、１階の建物ユニット１Ｂ〜１Ｇの上に固定されているていると共に、水平方向に並設固定されている。
【００１８】
建物ユニット１Ａは、図２に示したような骨組構造体２を有する。この骨組構造体２は、四隅に配設した４本（複数）の支柱（柱材）３と、妻側に配置された支柱３，３の下端部間を連結する下妻梁（図示せず）と、桁側に配置された支柱３，３の下端部間を連結する下桁梁（図示せず）を有する。また、骨組構造体２は、妻側に配置された支柱３，３の上端部間を連結する上妻梁４と、桁側に配置された支柱３，３の上端部間を連結する上桁梁５を有する。この上妻梁４および上桁梁５は図２に示したように一対設けられている。
＜床支持フレーム６＞
この一対の上妻梁４及び上桁梁５で囲まれる部分には図２に示した床支持フレーム６が設けられる。この床支持フレーム６は、一対の上桁梁５，５に沿って長手方向両端部までそれぞれ延びる根太支持部材７，７と、この根太支持部材７，７に渡架される複数の根太８を有する。この根太８の両端部は木ねじ等の根太固定手段（図示せず）で根太支持部材７，７にそれぞれ固定されている。
【００１９】
この根太支持部材７は、図３，図４に示したように上桁梁５に支持されている。また、根太支持部材７は、図４に示したように上桁梁５及び根太支持部材７を貫通するボルト９と、このボルト９の先端部に螺着されたナット１０により、上桁梁５に締め付け固定されている。
＜バルコニー１１＞
また、建物ユニット１Ａの上面には、図１（ａ）、図１（ｂ）に示したバルコニー１１が取り付けられている。このバルコニー１１は、建物ユニット１Ａの上面に設けられたバルコニー床部材（バルコニー床）１２と、建物ユニット１Ａの上面の周縁に設けられた手摺壁１３を有する。この手摺壁１３は、妻側手摺壁１３ａと、桁側手摺壁１３ｂを有する。妻側手摺壁１３ａは下手摺壁１４と上手摺壁１５を備え、桁側手摺壁１３ｂは下手摺壁１４と上手摺壁１５を備えている。尚、手摺壁１３は、通常の平均的な大人の腰の高さより高く形成されている。
（下手摺壁１４，１４′）
この下手摺壁１４，１４′の構成部品は実質的に同じであるので、桁側の下手摺壁１４′について説明し、妻側の下手摺壁１４については桁側の下手摺壁１４′と同じ符号を付して詳細な説明を省略する。
【００２０】
図３，図４，図９に示したように、桁側の下手摺壁１４′は、面材取付部材１６と、面材取付部材１６の内側に設けられた水切りカバー１７と、面材取付部材１６の外側に設けられた外側カバー（化粧板）１８と、面材取付部材１６の上部を覆う上カバー１９を有する。この水切りカバー１７及び上カバー１９の内側縁部は固定ネジ２０で面材取付部材１６の内側に固定され、外側カバー１８と上カバー１９の外側縁部は固定ネジ２１で面材取付部材１６の外側に固定されている。
【００２１】
面材取付部材１６は、図１（ａ）、図１（ｂ）に示した１階の建物ユニット１Ａの３つの支柱（柱材）３上にそれぞれ配置される３つの短柱２２,２２ａ，２２ｂを図７に示したように有する。尚、下手摺壁１４（１４′）および短柱２２,２２ａ，２２ｂは、本実施例では手摺壁１３全体の数分の１の低い高さ（例えば、手摺壁１３の１／５程度の高さ）に形成されている。
【００２２】
この短柱２２は、図７に示した建物ユニット１Ａの出隅部Ｃ１における支柱３上に図５〜図７のように配置される。また、他の短柱２２ａ，２２ｂは、図７に示したように、建物ユニット１Ａの出隅部Ｃ１に対応するコーナ部Ｃ２，Ｃ３の支柱３，３上に配置される。尚、コーナ部Ｃ２，Ｃ３は、出隅部Ｃ１の支柱３から延びる上妻梁４および上桁梁５の他端側に位置している。
【００２３】
また、面材取付部材１６は、図７に示したように、出隅部Ｃ１の短柱２２の上端部とコーナ部Ｃ２の短柱２２ａの上端部との間に架け渡された妻側面材取付梁２３と、出隅部Ｃ１の短柱２２の上端部とコーナ部Ｃ３の短柱２２ｂの上端部との間に架け渡された桁側面材取付梁２４と、妻側面材取付梁２３と平行に設けられ且つコーナ部Ｃ２の短柱２２ａの下端部に連結された倒れ防止梁２５を有する。
【００２４】
しかも、妻側面材取付梁２３上には複数のアンカー材２６が長手方向に間隔をおいて取り付けられ、桁側面材取付梁２４上には複数のアンカー材２７が長手方向に間隔を置いて取り付けられている。
【００２５】
更に、短柱２２,２２ａ，２２ｂは、図８に示したように、内部に上下に延びる空間Ｓａが形成されていると共に、上端および下端に上壁Ｕｗおよび下壁Ｌｗを有する。この上壁Ｕｗにはネジ穴Ｓｗが形成され、下壁Ｌｗにはボルト挿通孔Ｂｓｗが形成されている。このネジ穴Ｓｗおよび空間Ｓａが、工具挿入用の貫通孔Ｈを形成している。尚、建物ユニット１Ａの支柱（柱材）３の上端には端壁３ａが設けられていて、この端壁３ａの下面にはナット３ｂが溶接固定されている。そして、このナット３ｂに固定ボルト２８が螺着され、この固定ボルト２８の上端部側が端壁３ａから上方に突出させられている。また、短柱２２,２２ａ，２２ｂの下端部には点検穴Ｖｈが形成されている。
【００２６】
そして、図５，図６，図８に示したように、短柱２２は固定ボルト２８とナット２９により出隅部（コーナ部）Ｃ１の支柱３上に取り付けられている。同様に短柱２２ａ、２２ｂも、図２のコーナ部Ｃ２，Ｃ３の固定ボルト２８とナット２９を介して、図８のように支柱３，３に取り付けられている。
【００２７】
このような短柱２２（２２ａ，２２ｂ）の支柱３への取り付けに際しては、ナット２９が図８に示し連結工具６０を用いて固定ボルト２８に締め付けられる。この連結工具６０は、工具軸６１と、工具軸６１の基端部に設けられた操作部６２と、工具軸６１の先端部に設けられたソケット部６３を有する。このソケット部６３は、ナット２９が相対回転不能に係合（嵌合）させられるようになっている。尚、短柱２２（２２ａ，２２ｂ）は、作業者が一方の手で工具軸６１の上端部を把持した状態で、他方の手で工具軸６１のソケット部６３を固定ボルト２８に螺着したナット２９に容易に係合させることができる長さとなるように、短く形成されている。
【００２８】
更に、図７に示したように、妻側面材取付梁２３の上部を覆う矢印Ｄ１の上カバー１９には２つ（複数）のアンカー材２６に対応して挿通孔１９ａが形成され、桁側面材取付梁２４の上部を覆う矢印Ｄ２の上カバー１９には４つ（複数）のアンカー材２７に対応して挿通孔１９ａが形成されている。
【００２９】
また、妻側面材取付梁２３および桁側面材取付梁２４は、図９，図１０に示したように、上面および側面の上部が板状の防水部材（防水板）３０で覆われている（図３，図４参照）。この防水部材３０の側部は、水切りカバー１７及び外側カバー１８と共に妻側面材取付梁２３（および桁側面材取付梁２４）に固定ネジ２０，２１で固定されている。
【００３０】
尚、図３，図４において、防水部材３０のバルコニー床部材１２側の側部には、バルコニー床部材１２の防水シート１２ａの周縁部に設けた起立部１２ａ１が固着されている。しかも、桁側面材取付梁２４の外側面と根太支持部材７との間は、桁側面材取付梁２４と根太支持部材７に固定した防水部材３１で覆われている。また、防水部材３１は妻側面材取付梁２３側にも設けられる。また、妻側面材取付梁２３のアンカー材２６や桁側面材取付梁２４のアンカー材２７は防水部材３０の貫通孔３０ａを介して上方に突出している。
【００３１】
更に、防水部材３０上には、図９，図１０に示したように、貫通孔３０ａおよびその周囲を覆う防水シート３３が配設されている。この防水シート３３には、アンカー材２６（又はアンカー材２７）の外周面に嵌合された筒状防水部３３ａが設けられている（図１１，図１５参照）。
＜上手摺壁１５，１５′＞
図１の妻側の上手摺壁１５は、図７に示したように一つの手摺面材４２と、手摺面材４２の上方に配設される笠木４３を有する。この笠木４３は、上妻梁４と略同じ長さに形成されている。
【００３２】
また、図１の桁側の上手摺壁１５′は、図７に示したように２つ（複数）の手摺面材４４と、手摺面材４４の上方に配設される笠木４５を有する。この笠木４５は、上桁梁５と略同じ長さに形成されていて、複数の手摺面材４４に跨がるように配設される。
【００３３】
この手摺面材４２，４４は、図７，図１２，図１３に示したように面材取付枠４６と、上下に間隔をおいて面材取付枠４６に取り付けられる複数枚の面材パネル４７を有する。
【００３４】
このような手摺面材４２の両側部には上下に延びる手摺支柱４８，４８が取り付けられ、手摺面材４４の一側部及び中央部には手摺支柱４８，４８が取り付けられている。この手摺面材４２，４４は、手摺支柱４８を介して建物ユニット１Ａに固定された面材取付部材１６に取り付けられる。
【００３５】
この取り付けに際しては、環状スペーサ４９が用いられる。この環状スペーサ４９は、方形筒状の嵌合筒部４９ａと、嵌合筒部４９ａの上端部に外方に向けて突設された上係止部４９ｂと、嵌合筒部４９ａの下端部に内方に向けて突設された下係止部４９ｃから、断面形状がＺ型形状に形成されている。
【００３６】
そして、図１２に示したように、手摺面材４２（４４）に固定した手摺支柱４８の下端部を環状スペーサ４９の嵌合筒部４９ａに嵌合して、この手摺支柱４８の下端を環状スペーサ４９の下係止部４９ｃに当接させる。このようにして、環状スペーサ４９を手摺支柱４８の下端部に取り付ける。
【００３７】
次に、図９〜図１１に示したように、アンカー材２６（２７）が手摺面材４２（４４）の手摺支柱４８内に下端から挿入されていると共に、環状スペーサ４９の嵌合筒部４９ａを上カバー１９の挿通孔１９ａに嵌合挿通させられている。このアンカー部材２６の高さは手摺支柱４８の高さよりも充分に低く設けられ、即ちアンカー部材２６の長さは手摺支柱４８の長さよりも充分短く形成されている。これにより、アンカー部材２６は手摺支柱４８の下端部内に嵌合されるので、手摺支柱４８とアンカー部材２６の嵌合作業時に手摺支柱４８を高く持ち上げる必要がない。このため、手摺支柱４８とアンカー部材２６の嵌合作業が容易となる。
【００３８】
しかも、環状スペーサ４９の上係止部４９ｂを上カバー１９の上面に係止させられている（図１４参照）。これにより、手摺支柱４８が環状スペーサ４９を介して上カバー１９に係止保持される。この状態で、手摺支柱４８の下端部をアンカー材２６（２７）に固定ネジ５０で固定することにより、手摺面材４２（４４）が妻側面材取付梁２３（および桁側面材取付梁２４）に取り付けられている。
【００３９】
この環状スペーサ４９は、アンカー材２６（２７）の根元を覆っている防水シート３３を突き破ることなく手摺支柱４８及び手摺面材４２（４４）等の高さ方向の位置決めを可能にしていると同時に、下枠である上カバー１９の挿通孔１９ａ内面と手摺支柱４８との間のすき間を隠すことができる。
[作用]
次に、このような構成のバルコニー１１における手摺壁１３の建物ユニット１Ａへの取り付けを説明する。
・下手摺壁１４の構築
手摺壁１３の下手摺壁１４の構築に際しては、面材取付部材１６は短柱２２（２２ａ，２２ｂ）を支柱３の上端に取り付ける。この取り付けに際しては、先ず、建物ユニット１Ａの支柱（柱材）３の上端に設けた端壁３ａ上にスペーサ６４を配設し、このスペーサ６４上に短柱２２（２２ａ，２２ｂ）の下壁Ｌｗを配設（載置）する（図８参照）。この際、スペーサ６４を貫通させた固定ボルト２８を下壁Ｌｗのボルト挿通孔Ｂｓｗに挿通させる。この後、点検穴Ｖｈから短柱２２（２２ａ，２２ｂ）内にナット２９を配設して、このナット２９を固定ボルト２８の上端部に螺着する。
【００４０】
この状態で、連結工具６０のソケット部６３および工具軸６１を短柱２２（２２ａ，２２ｂ）の上壁Ｕｗの貫通孔Ｈのネジ穴Ｓｗを介して空間Ｓａ内に挿入する。そして、作業者は、一方の手で工具軸６１の上端部を把持した状態で、他方の手で工具軸６１のソケット部６３を固定ボルト２８に螺着したナット２９に係合させる補助をさせる。尚、貫通孔Ｈは短いので、ソケット部６３をナット２９に係合させる補助を行わなくても、ソケット部６３をナット２９に迅速に係合させることが可能である。
【００４１】
この後、操作部６２により工具軸６１を軸線周りに回転操作することにより、ナット２９を締め付け固定する。このような操作により、短柱２２（２２ａ，２２ｂ）は建物ユニット１Ａの支柱３上に固定される。これにより面材取付部材１６の妻側面材取付梁２３および桁側面材取付梁２４は図７に示したように建物ユニット１Ａの上妻梁４及び上桁梁５に沿って配設される。
【００４２】
この妻側面材取付梁２３および桁側面材取付梁２４上に図９，図１０に示したように防水部材３０を配設し、この妻側面材取付梁２３（桁側面材取付梁２４）に設けたアンカー材２６（２７）を防水部材３０に設けた貫通孔３０ａに挿通して上方に突出させる。そして、防水シート３３の筒状防水部３３ａをアンカー材２６（２７）嵌合させて、この防水シート３３を防水部材３０上に配設し、この防水部材３０の貫通孔３０ａを防水シート３３で覆わせる。この際、防水シート３３は、妻側面材取付梁２３（桁側面材取付梁２４）の側面に沿うように防水部材３０の側面まで配設する。
【００４３】
この状態で、桁側面材取付梁２４に設ける防水部材３０及び防水シート３３は、側部を水切りカバー１７及び外側カバー１８と共に桁側面材取付梁２４の内側面（バルコニー床部材側面）と外側面に固定ネジ２０，２１で固定する。同様にして、妻側面材取付梁２３への防水部材３０，防水シート３３および水切りカバー１７，外側カバー１８の取り付けも行う。これにより、下手摺壁１４が建物ユニット１Ａの上面の周縁に形成される。
・上手摺壁１５
次に、図１２に示したように、手摺面材４２（４４）に固定した手摺支柱４８の下端部を環状スペーサ４９の嵌合筒部４９ａに嵌合して、この手摺支柱４８の下端を環状スペーサ４９の下係止部４９ｃに当接させる。このようにして、環状スペーサ４９を手摺支柱４８の下端部に取り付ける。
【００４４】
この後、図９〜図１１に示したように、手摺面材４２（４４）に設けた手摺支柱４８をアンカー材２６（２７）が手摺面材４２（４４）の手摺支柱４８内に下端から挿入させる。そして、この環状スペーサ４９の嵌合筒部４９ａを上カバー１９の挿通孔１９ａに嵌合挿通させて、環状スペーサ４９の上係止部４９ｂを上カバー１９の上面に係止させる（図１４参照）。
【００４５】
これにより、手摺支柱４８が環状スペーサ４９を介して上カバー１９に係止保持される。この状態で、手摺支柱４８の下端部をアンカー材２６（２７）に固定ネジ５０で固定することにより、手摺面材４２（４４）が妻側面材取付梁２３（および桁側面材取付梁２４）に取り付けられる。この環状スペーサ４９は、アンカー材２６（２７）の根元を覆っている防水シート３３を突き破ることなく手摺支柱４８及び手摺面材４２（４４）等の高さ方向の位置決めを可能にしていると同時に、下枠である上カバー１９の挿通孔１９ａ内面と手摺支柱４８との間のすき間を隠す。
【００４６】
このようにして、手摺面材４２，４４を妻側面材取付梁２３および桁側面材取付梁２４上に取り付けた後、手摺面材４２，４４の複数の手摺支柱４８上に笠木４５をそれぞれ取り付けることにより、上手摺壁１５が構築される。尚、手摺面材４２に取り付ける笠木４５と手摺面材４４に取り付ける笠木４５は出隅部Ｃ１の部分で垂直に突き合わせる。また、手摺面材４２に取り付ける笠木４５と手摺面材４４に取り付ける笠木４５に出隅部Ｃ１の部分で突き合わせられる斜め突合部（図示せず）を設けて、この斜め突合部同士を突き合わせるようにしてもよい。
＜この発明の実施の形態の作用・効果＞
（１）．この発明の実施の形態のバルコニー１１の手摺面材取付構造では、複数の柱材（支柱３）と複数の梁材（下妻梁、下桁梁、上妻梁４，上桁梁５等）で構成された骨組構造体２によって建物ユニット１Ａが形成されている共に、前記建物ユニット１Ａの上面にバルコニー床部材１２が設けられ、前記バルコニー床部材１２の少なくとも一側縁部にバルコニー手摺面材（４２，４４）が設置されている。しかも、前記建物ユニット１Ａの複数の柱材（支柱３）の少なくとも２つは前記バルコニー床部材１２の一側縁部に間隔を置いて面材支持用に配設されている。また、バルコニー１１の手摺面材取付構造は、上下方向に貫通する貫通孔（Ｈ）が形成され且つ少なくとも前記２つの面材支持用の柱材（支柱３）上にそれぞれ配設された少なくとも２つの短柱（２２，２２ａ，２２ｂ）と、前記貫通孔（Ｈ）に上端から挿入される連結工具６０を用いて前記２つの短柱（２２，２２ａ，２２ｂ）を前記２つの面材支持用の柱材（支柱３）上に固定する固定部材（固定ボルト２８、ナット２９）と、少なくとも前記２つの短柱間に架け渡される面材取付梁（妻側面材取付梁２３、桁側面材取付梁２４）と、前記面材取付梁（妻側面材取付梁２３、桁側面材取付梁２４）に設けられたアンカー材（２６，２７）を備えている。そして、前記手摺面材（４２，４４）と一体の手摺支柱４８の下端部が前記アンカー材（２６，２７）に固定手段（固定ネジ５０）で固定されている。
【００４７】
この構成によれば、建物ユニット１Ａの柱材（支柱３）へ取り付ける短柱（２２，２２ａ，２２ｂ）の貫通孔（Ｈ）は短いので、この貫通孔（Ｈ）に挿入する連結工具６０の工具軸６１も短くなり、工具軸６１の先端部を短柱（２２，２２ａ，２２ｂ）内に配設する固定部材（ナット２９）に迅速に係合させることができる。これによりバルコニー１１に設けられる手摺面材４２（４４）の建物ユニットへの取付性が向上する。即ち、面材取付梁（妻側面材取付梁２３、桁側面材取付梁２４）が設けられた短柱（２２，２２ａ，２２ｂ）は、従来の手摺面材を取り付ける手摺フレームの手摺柱のように長くないので、この従来の手摺柱を用いた場合に比べて、工具軸６１の先端部を短柱（２２，２２ａ，２２ｂ）内に配設する固定部材（ナット２９）に迅速に係合させることができる。
（２）．この発明の実施の形態のバルコニー１１の手摺面材取付構造では、前記アンカー材（２６，２７）は前記面材取付梁（妻側面材取付梁２３、桁側面材取付梁２４）に上方に向けて固定され、前記手摺支柱４８は中空に形成されていると共に、前記手摺支柱４８内には前記アンカー材（２６，２７）が嵌合されている。
【００４８】
この構成によれば、手摺面材４２（４４）が設けられた手摺支柱４８を面材取付梁（妻側面材取付梁２３、桁側面材取付梁２４）に嵌合するだけで、手摺面材４２（４４）を面材取付梁（妻側面材取付梁２３、桁側面材取付梁２４）に簡易に取り付けることができる。
（３）．この発明の実施の形態のバルコニー１１の手摺面材取付構造では、前記面材取付梁（妻側面材取付梁２３、桁側面材取付梁２４）の上部を覆うカバー（上カバー１９）が設けられ、前記カバー（上カバー）１９に挿通孔１９ａが形成されていると共に、前記アンカー材（２６，２７）が前記挿通孔に挿通されている。
【００４９】
この構成によれば、上カバー１９に手摺面材４２（４４）からの外力が作用しないので、上カバー１９の強度は必要としない。
（４）．この発明の実施の形態のバルコニー１１の手摺面材取付構造では、前記面材取付梁（妻側面材取付梁２３、桁側面材取付梁２４）を覆う防水シート３３に前記アンカー材（２６，２７）の外周面を覆い且つ前記手摺支柱４８内に配設された筒状防水部３３ａが設けられている。
【００５０】
この構成によれば、アンカー材（２６，２７）の根元が防水シート３３で覆われるので、アンカー材（２６，２７）の根元が雨水等に晒されるのを防止できる。
（５）．この発明の実施の形態のバルコニー１１の手摺面材取付構造では、前記カバー（上カバー１９）の挿通孔１９ａに前記手摺支柱４８の下端部が挿通されている。
【００５１】
この構成によれば、手摺支柱４８の下端部が上カバー１９で覆われるので、見栄えが損なわれるのを防止できる。
（６）．この発明の実施の形態のバルコニー１１の手摺面材取付構造では、前記カバー（上カバー１９）の前記挿通孔１９ａ側の部分と前記手摺支柱４８の下端部との間にスペーサ（環状スペーサ４９）が介装されている。
【００５２】
この構成によれば、手摺支柱４８の下端部が上カバー１９の挿通孔１９ａを介して見えないようにできるので、手摺支柱４８の下端部により見栄えが損なわれるのを確実に防止できる。
（７）．この発明の実施の形態のバルコニー１１の手摺面材取付構造では、前記スペーサは、前記手摺支柱４８の下端部を前記カバー（上カバー１９）に係止させる環状スペーサ４９である。
【００５３】
この構成によれば、手摺面材４２（４４）の取り付けに際して、手摺面材４２（４４）の手摺支柱４８をカバー（上カバー１９）に所定高さで仮保持した状態で、この手摺支柱４８をアンカー材２６（２７）に固定手段で固定できる。これにより、アンカー材２６（２７）の基端（下端）の面材取付梁（妻側面材取付梁２３、桁側面材取付梁２４）への固定が溶接固定であっても、この溶接固定部の凹凸によりアンカー材２６（２７）の外周に嵌合した手摺支柱４８の下端の高さが左右されないので、手摺支柱４８を所定高さに容易に固定できる。
（８）．この発明の実施の形態のバルコニー１１の手摺面材取付構造では、前記環状スペーサ４９は、前記カバー（上カバー１９）の挿通孔１９ａに嵌合される嵌合筒部４９ａと、前記嵌合筒部４９ａの上端部に外方に向けて連設されて前記カバー（上カバー１９）の上面に係止される上係止部４９ｂと、前記嵌合筒部４９ａの下端部に内方に向けて連設されて前記手摺支柱４８の下端を係止する下係止部４９ｃから、断面形状がＺ型形状に形成されている。
【００５４】
この構成によれば、簡易な構造で手摺支柱４８を上カバー１９に仮保持できる。
（９）．この発明の実施の形態のユニット建物は、上述したバルコニー１１の手摺面材取付構造を備えている。この構成によれば、（１）〜（８）に示したような効果を有するユニット建物を提供できる。
【符号の説明】
【００５５】
１ ユニット建物
１Ａ 建物ユニット
１Ａ〜１Ｇ 建物ユニット
２ 骨組構造体
３ 支柱（柱材））
３ａ 端壁
１１ バルコニー
１２ バルコニー床部材（バルコニー床）
１３ 手摺壁
１４（１４′） 下手摺壁
１５（１５′） 上手摺壁
１６ 面材取付部材
１９ 上カバー
２２ 短柱
２２ａ 短柱
２２ｂ 短柱
２３ 妻側面材取付梁
２４ 桁側面材取付梁
２６ アンカー材
２７ アンカー材
２８ 固定ボルト
２９ ナット(固定部材)
３３ 防水シート
３３ａ 筒状防水部
４２ 手摺面材
４４ 手摺面材
４８ 手摺支柱
４９ 環状スペーサ
４９ａ 嵌合筒部
４９ｂ 上係止部
４９ｃ 下係止部
６０ 連結工具
６１ 工具軸
６３ ソケット部
Ｂｓｗ ボルト挿通孔
Ｈ 貫通孔
【図１】
2015059404.tif 000003
【図２】
2015059404.tif 000004
【図３】
2015059404.tif 000005
【図４】
2015059404.tif 000006
【図５】
2015059404.tif 000007
【図６】
2015059404.tif 000008
【図７】
2015059404.tif 000009
【図８】
2015059404.tif 000010
【図９】
2015059404.tif 000011
【図１０】
2015059404.tif 000012
【図１１】
2015059404.tif 000013
【図１２】
2015059404.tif 000014
【図１３】
2015059404.tif 000015
【図１４】
2015059404.tif 000016
【図１５】
2015059404.tif 000017